(57)【要約】【課題】曲げ部が形成されている表示板であっても、傷つきや反射をより抑えたり、下地色が鮮明に再現されて高級感を得ることのできる表示板およびその製造方法を提供する。【解決手段】凹部５（曲げ部）を有する板状の基板１の表面側に、表示部２を形成するための透過性の表示層７と表示部２を除いて地色層８を設けるとともに、表面側の少なくとも凹部５の角部９およびその近傍に第１の保護層３を設け、角部９およびその近傍に対応する箇所を除いて無色透明なビーズが含有された透明な第２の保護層４を設ける。凹部５は、基板１の表面側に第１の保護層３および第２の保護層４を設けた後に曲げ加工する。【選択図】  図２
2004264408.tif 000002
【特許請求の範囲】
【請求項１】
曲げ部を有する板状の基板の表面側に、前記曲げ部の角部およびその近傍を除いてビーズが含有された保護層を設けたことを特徴とする表示板。
【請求項２】
曲げ部を有する板状の基板の表面側に、前記曲げ部の角部およびその近傍を除いてビーズが含有された保護層を設けた表示板の製造方法であって、前記基板の表面側に前記保護層を形成した後、前記曲げ部を曲げ加工したことを特徴とする表示板の製造方法。
【請求項３】
曲げ部を有する板状の基板の表面側の少なくとも前記曲げ部の角部およびその近傍に第１の保護層を設け、前記角部およびその近傍に対応する箇所を除いてビーズが含有された第２の保護層を設けたことを特徴とする表示板。
【請求項４】
曲げ部を有する板状の基板の表面側の少なくとも前記曲げ部の角部およびその近傍に第１の保護層を設け、前記角部およびその近傍に対応する箇所を除いてビーズが含有された第２の保護層を設けた表示板の製造方法であって、前記基板の表面側に前記第１の保護層を形成した後、前記第２の保護層を形成し、その後前記曲げ部を曲げ加工したことを特徴とする表示板の製造方法。
【発明の詳細な説明】
【０００１】
【発明の属する技術分野】
本発明は、例えば車両用の計器装置に用いられる表示板に関し、特にビーズが含有された保護層を表面側に設けた表示板およびその製造方法に関するものである。
【０００２】
【従来の技術】
例えば車両用の計器装置に用いられる表示板（文字板）において、表示に立体感を持たせるために、表示板に凸部や凹部を形成したものが種々出願されている（例えば、特許文献１参照）。特許文献１に記載されている段差文字板１は、その第２図に示されている様に、文字板本体２の表面に表示部分３となる半透明着色層４を印刷した後、表示部分３を除いて暗色の地となる不透明着色層５を印刷し、その後、凹凸加工を行うことによって凸部分６ａ，斜面部分６ｂ，凹部分６ｃを有する段差文字板１を形成するものである。
【０００３】
なお、不透明着色層５を印刷した後の段差文字板１の表面全面には、傷つきや外光による反射を抑えるために、特許文献１には記載されていないが、透明の保護層を印刷形成するのが一般的である（透明の保護層を印刷した後に凹凸加工を行う）。また、表示板の傷つきや外光による反射をより抑えるとともに、表示板に高級感を与えるために透明な保護層の中に透明なビーズを加えたものがある（例えば、特許文献２参照）。
【０００４】
【特許文献１】
実開昭６０−１５９３１９号公報
【特許文献２】
特開２０００−３３８９０７号公報
【０００５】
【発明が解決しようとする課題】
しかしながら、特許文献２に記載されている様なビーズが含有された保護層を特許文献１の様な凸部分や凹部分を有する基板（表示板）に形成しても品質的に満足するものが得られないことがある。なぜなら、前述した様に保護層を印刷した後に凹凸加工を行うため、保護層の中にビーズが含有されていると凹凸加工を行った後の曲げ部の保護層に変化が生じる。すなわち、曲げ部が山折り状であると、ビーズが含まれていない保護層（印刷インク）に比べて印刷インクに伸びがないため、保護層が割れる方向に作用され易い。また、曲げ部が谷折り状であると、その箇所が縮む方向に作用され白っぽくなり易い。
【０００６】
上述の様な問題点があり、表示板の傷つきや外光による反射をより抑えるとともに、表示板に高級感を与えたい場合であっても曲げ部を有する表示板にはビーズが含有された保護層は設けない。なお、特許文献２に記載されている表示板は、詳細は明記されていないが、平板であるために特に問題とはならない。
【０００７】
本発明はこの様な点に鑑みなされたもので、曲げ部が形成されている表示板であっても、傷つきや反射をより抑えたり、下地色が鮮明に再現されて高級感を得ることのできる表示板およびその製造方法を提供することを目的とする。
【０００８】
【課題を解決するための手段】
本発明は前記課題を解決するため、曲げ部を有する板状の基板の表面側に、前記曲げ部の角部およびその近傍を除いてビーズが含有された保護層を設けたものである。
【０００９】
また、曲げ部を有する板状の基板の表面側に、前記曲げ部の角部およびその近傍を除いてビーズが含有された保護層を設けた表示板の製造方法であって、前記基板の表面側に前記保護層を形成した後、前記曲げ部を曲げ加工したものである。
【００１０】
また、曲げ部を有する板状の基板の表面側の少なくとも前記曲げ部の角部およびその近傍に第１の保護層を設け、前記角部およびその近傍に対応する箇所を除いてビーズが含有された第２の保護層を設けたものである。
【００１１】
また、曲げ部を有する板状の基板の表面側の少なくとも前記曲げ部の角部およびその近傍に第１の保護層を設け、前記角部およびその近傍に対応する箇所を除いてビーズが含有された第２の保護層を設けた表示板の製造方法であって、前記基板の表面側に前記第１の保護層を形成した後、前記第２の保護層を形成し、その後前記曲げ部を曲げ加工したものである。
【００１２】
【発明の実施の形態】
本発明を各実施形態に基づいて説明する。図１は第１実施形態を示す車両用の計器装置に用いられる表示板の斜視図であり、図２はその部分詳細断面である。
【００１３】
本実施形態における表示板は、光透過性である無色透明な板状の基板１の表面側に、例えば車両の速度を現す表示部２と、後述する第１の保護層３および第２の保護層４を設けたものである。また、表示板には曲げ部としての円形状の凹部５が形成されている。凹部５は壁部５Ａと底部５Ｂからなり、基部６と一体となっている。表示部２は、車両の速度を現す目盛からなる目盛表示部２Ａと、数字などからなる数字表示部２Ｂを有し、目盛表示部２Ａは基部６に設けてあり、数字表示部２Ｂなどは底部５Ｂに設けてある。
【００１４】
この表示部２は、基板１の表面側に目盛表示部２Ａおよび数字表示部２Ｂとなる例えば白色の透過性の表示層７を印刷した後、目盛表示部２Ａおよび数字表示部２Ｂ箇所を除いて地部となる例えば黒色の地色層８を印刷することによって形成される。また、地色層８および表示部２（表示層７）上の全面には印刷面を保護したり、外光による反射を抑えるための艶消し層としての透明な第１の保護層３が印刷によって設けてある。なお、第１の保護層３は印刷面の全面に設ける必要はなく、少なくとも凹部５の角部９（基部６と壁部５Ａとの角および壁部５Ａと底部５Ｂとの角）およびその近傍に設けてあれば良い。
【００１５】
また、第１の保護層３上には粒子径が２〜１８ミクロンの樹脂製の無色透明なビーズ（図示せず）が含有された透明な第２の保護層４が印刷によって設けてある。この第２の保護層４は、前述した凹部５の角部９およびその近傍に対応する抜き部４ａを有し、この箇所を除いた第１の保護層３上に設けられる。なお、第１の保護層３が全面に設けられていない場合は地色層８および表示部２（表示層７）上に印刷するものとする。また、特許文献２に記載されていると同様に、ビーズは第２の保護層４内の表面側に配向されていても良い。
【００１６】
この様に、表示板に凹部５が形成されているために表示に立体感を持たせることができるとともに、表面側にビーズが含有された第２の保護層４が設けてあることにより、外光が乱反射されて表面がより艶消し状態になるとともに、ビーズが透明なために下地色（黒色）が鮮明に再現されて高級感が得られる。さらに、ビーズが第２の保護層４内の表面側に配向されている場合、あるいはビーズの一部が第２の保護層４の表面に現れている場合は特に、表示部２となる表示層７および地色層８が基板１の表面側に設けてあっても重ね印刷による段差が目立ちにくくなる。また、表示板の背後に光源を配置し、その光で表示部２を透過照明する際には、ビーズによって光が拡散されてより均一な透過照明が可能となる。
【００１７】
また、第２の保護層４が凹部５の角部９およびその近傍に対応する箇所に抜き部４ａを設けてあるため、この箇所での印刷インクの割れや白化などがなく、品質的に低下しない。なお、凹部５の角部９およびその近傍に対応する箇所には第２の保護層４が設けられていないが、この箇所には第１の保護層３が設けてあるため、印刷面（地色層８）は保護され、外光による反射も抑えられる。また、抜き部４ａ箇所には、第２の保護層４とは艶の状態が異なるが艶消し層である第１の保護層３が設けてあること、それに加えて凹部５の角部９およびその近傍に対応する箇所であるために、平面上と違って外観上目立ちにくく、デザイン的な見苦しさはない。
【００１８】
以下に、前述した表示板の製造方法について説明する。光透過性である無色透明な板状の基板１の表面側に、目盛表示部２Ａおよび数字表示部２Ｂとなる例えば白色の透過性の表示層７を印刷した後、目盛表示部２Ａおよび数字表示部２Ｂを除いて地部となる例えば黒色の地色層８を印刷する。その後、地色層８および表示部２（表示層７）上の全面に第１の保護層３を印刷する。さらに、第１の保護層３上にビーズが含有された第２の保護層４を印刷によって設ける。この際、第２の保護層４は凹部５の角部９およびその近傍となる箇所（抜き部４ａ）を除いて設けられる。なお、ビーズを第２の保護層４内の表面側に配向させる場合には、特許文献２に記載されている様に第２の保護層４を印刷した後、４０〜１００℃で加熱すれば良い。ビーズ径が大きい場合は第２の保護層４の表面にビーズの頭が現れるため、敢えて加熱する必要はない。
【００１９】
次に、各印刷層が設けられた表示板に円形状の凹部５を形成する。凹部５は曲げ加工によって形成するが、この際、抜き部４ａが凹部５の角部９となるようにする。曲げ加工は、プレス成形，圧空成形，真空成形など如何なる方法であっても良い。
【００２０】
この様に、板状の基板１の表面側に第１の保護層３を印刷によって設け、さらに、第１の保護層３上にビーズが含有された第２の保護層４を凹部５の角部９およびその近傍となる箇所を除いて印刷によって設けた後、凹部５を曲げ加工するようにしたことにより、ビーズが含有された第２の保護層４を印刷した表示板であっても従来例の様な不具合は発生しない。
【００２１】
図３は、本発明の第２実施形態を示す表示板の部分詳細断面図である。前記第１実施形態とは形状が異なるとともに、保護層としては、ビーズが含有された保護層のみを設けたものである。なお、前記第１実施形態と同一または相当箇所には同一符号を用いて説明する。
【００２２】
本実施形態における表示板は、光透過性である無色透明な板状の基板１の表面側に、前記第１実施形態と同様な表示部２と、ビーズが含有された保護層１０を設けたものである。なお、本実施形態における保護層１０は前記第１実施形態における第２の保護層４と同じものである。また、表示板には曲げ部としての傾斜部１１が形成されており、基部６Ａと一体となっている（本実施形態の場合、皿状の底を基部６Ａとする）。表示部２は、前記第１実施形態と同様に目盛表示部２Ａと数字表示部２Ｂを有し、目盛表示部２Ａは傾斜部１１に設けてあり、数字表示部２Ｂは基部６Ａに設けてある。
【００２３】
この表示部２は、基板１の表面側に目盛表示部２Ａおよび数字表示部２Ｂとなる例えば白色の透過性の表示層７を印刷した後、目盛表示部２Ａおよび数字表示部２Ｂ箇所を除いて地部となる例えば黒色の地色層８を印刷することによって形成される。また、地色層８および表示部２（表示層７）上には、無色透明なビーズ（図示せず）が含有された透明な保護層１０が印刷によって設けてある。この保護層１０は、傾斜部１１の角部９（傾斜部１１と基部６Ａとの角）およびその近傍箇所を除いて設けられることにより抜き部１０ａを有している。
【００２４】
この様に構成したことにより、前記第１実施形態と同様に、表示板の表示に立体感を持たせることができるとともに、外光が乱反射されて表面がより艶消し状態になるとともに、ビーズが透明なために下地色（黒色）が鮮明に再現されて高級感が得られる。さらに、ビーズが保護層１０内の表面側に配向されている場合は特に、表示部２となる表示層７および地色層８が基板１の表面側に設けてあっても重ね印刷による段差が目立ちにくくなる。また、表示板の背後に光源を配置し、その光で表示部２を透過照明する際には、ビーズによって光が拡散されてより均一な透過照明が可能となる。
【００２５】
また、保護層１０が抜き部１０ａを有するため、この箇所での印刷インクの割れや白化などがなく、品質的に低下しない。なお、傾斜部１１の角部９およびその近傍箇所には保護層１０が設けられていないが、その範囲が狭く、印刷面の傷つきや外光による反射に対して悪影響を及ぼすものではない。また、保護層１０に比べて地色層８が艶を有するため、その箇所が多少目立つが逆に保護層１０を設けない箇所をデザイン上のアクセントとしても良い。
【００２６】
以下に、本実施形態における表示板の製造方法について説明する。光透過性である無色透明な板状の基板１の表面側に、目盛表示部２Ａおよび数字表示部２Ｂとなる例えば白色の透過性の表示層７を印刷した後、目盛表示部２Ａおよび数字表示部２Ｂを除いて地部となる例えば黒色の地色層８を印刷する。その後、地色層８および表示部２（表示層７）上にビーズが含有された保護層１０を印刷によって設ける。この際、保護層１０は傾斜部１１の角部９およびその近傍となる箇所を除いて設けられる。
【００２７】
次に、各印刷層が設けられた表示板に傾斜部１１を形成する。傾斜部１１は曲げ加工によって形成するが、この際、抜き部１０ａが傾斜部１１の角部９となるようにする。加工方法は任意である。
【００２８】
この様に、板状の基板１の表面側にビーズが含有された保護層１０を傾斜部１１の角部９およびその近傍となる箇所を除いて印刷によって設けた後、傾斜部１１を曲げ加工するようにしたことにより、ビーズが含有された保護層１０を印刷した表示板であっても従来例の様な不具合は発生しない。
【００２９】
なお、前記各実施形態において、表示層７および地色層８を基板１の表面側に設けたが基板１の裏面側としても良い。また、表示層７は透過性でなくとも良い。また、各印刷層の印刷インクは紫外線硬化タイプでも溶剤タイプでも良い。また、本発明における曲げ部とは、第１実施形態で示した様に凹部５を形成した形状でも良いし、第２実施形態で示した様に単に折り曲げした形状でも良いし、あるいは凸状であっても良い。
【００３０】
【発明の効果】
以上詳述した様に、本発明によれば、曲げ部が形成されている表示板であっても、傷つきや反射をより抑えたり、下地色が鮮明に再現されて高級感を得ることのできる表示板およびその製造方法を提供することができる。
【図面の簡単な説明】
【図１】本発明の第１実施形態を示す表示板の斜視図。
【図２】同実施形態を示す表示板の部分詳細断面図。
【図３】本発明の第２実施形態を示す表示板の部分詳細断面図。
【符号の説明】
１  基板
３  第１の保護層
４  第２の保護層
５  凹部（曲げ部）
７  表示層
８  地色層
９  角部
１０  保護層
１１  傾斜部（曲げ部）
【図１】
2004264408.tif 000003
【図２】
2004264408.tif 000004
【図３】
2004264408.tif 000005